(57)【要約】      （修正有）【課題】通勤や通学等の外出時において、地震等の災害に遭遇した場合に頭部や手を守るのに有効であると共に、頭部に載せた防災バッグ及びびその防災バッグ付きのバッグ本体を安定して保持できるようにする。【解決手段】適度の伸縮と弾力性及び防水性のある生地の表蓋体２１と裏蓋体２２とから成り、防災用具を入れるポケット６を有し、繋ぎ辺となる一辺を残した三辺をスライドファスナーｆで開閉できるようにした防災バッグ２であって、表裏蓋体を開いたときに頭部と肩付近まで覆うことができる適度の角度で開くようにするために、表蓋体２１と裏蓋体２２の内側の左右両側に覆い片５を設けると共に、頭部側に位置する表蓋体内面の左右両側に掴み部８を設け、且つこの防災バッグ２を止着具により本体バッグ１に離脱可能に装着し又は固着して一体化する。【選択図】図２
2015223185.tif 000002
【特許請求の範囲】
【請求項１】
適度の伸縮と弾力性及び防水性のある生地の表蓋体(21)と裏蓋体(22)とから成り、防災用具(7)を入れるポケット(6)を有し、繋ぎ辺となる一辺(2n)を残した三辺をスライドファスナー(f)で開閉できるようにした防災バッグ２であって、その表裏蓋体(21)・(22)を開いたときに頭部と肩付近まで覆うことができる適度の角度で開くようにするために、当該表蓋体(21)と裏蓋体(22)の内側の左右両側に覆い片(5)を設けると共に、頭部側に位置する表蓋体(21)内面の左右両側に掴み部(8)・(8)を設け、且つ表蓋体(21)の外表面に面ファスナーの一方(31)を設けたことを特徴とする防災バッグ。
【請求項２】
適度の伸縮と弾力性及び防水性のある生地の表蓋体(21)と裏蓋体(22)とから成り、防災用具(7)を入れるポケット(6)を有し、繋ぎ辺となる一辺(2n)を残した三辺をスライドファスナー(f)で開閉できるようにした防災バッグ２であって、その表裏蓋体(21)・(22)を開いたときに頭部と肩付近まで覆うことができる適度の角度で開くようにするために、当該表蓋体(21)と裏蓋体(22)の内側の左右両側に覆い片(5)を設けると共に、頭部側に位置する表蓋体(21)内面の左右両側に掴み部(8)・(8)を設け、且つ表蓋体(21)の外表面に面ファスナーの一方(31)を設け、他方、当該防災バッグ体より多少外形が大きいバッグ本体(1)の片面に面ファスナーの一方(31)に対峙する面ファスナーの他方(32)を設け、両面ファスナー(31)・(32)同士を脱着可能に結合して防災バッグ体をバッグ本体に一体化したことを特徴とする防災バッグ付きの外出用バッグ。
【請求項３】
適度の伸縮と弾力性及び防水性のある生地の表蓋体(21)と裏蓋体(22)とから成り、防災用具(7)を入れるポケット(6)を有し、繋ぎ辺となる一辺(2n)を残した三辺をスライドファスナー(f)で開閉できるようにした防災バッグ２であって、その表裏蓋体(21)・(22)を開いたときに頭部と肩付近まで覆うことができる適度の角度で開くようにするために、当該表蓋体(21)と裏蓋体(22)の内側の左右両側に覆い片(5)を設けると共に、頭部側に位置する表蓋体(21)内面の左右両側に掴み部(8)・(8)を設け、当該防災バッグ(2)の片面を本体バッグ(1)の片面に一体化したことを特徴とする防災バッグ付きの外出用バッグ。
【請求項４】
バッグ本体(1)の片面（11）を防災バッグ体(2)の表蓋体(21)として兼用し、裏蓋体(22)の内面に防災用具(7)を入れるポケット(6)を有し、繋ぎ辺となる一辺(2n)を残した三辺をスライドファスナー(f)で開閉できるようにした防災バッグ体(2)であって、その表裏蓋体(21)・(22)を開いたときに頭部と肩付近まで覆うことができる適度の角度で開くようにするために、当該表蓋体(21)と裏蓋体(22)の内側の左右両側に覆い片(5)を設けると共に、頭部側に位置する表蓋体(21)内面の左右両側に掴み部(8)・(8)を設け、当該防災バッグ体(2)を本体バッグ(1)の片面に一体化したことを特徴とする防災バッグ付きの外出用バッグ。
【発明の詳細な説明】
【技術分野】
【０００１】
本発明は、防災バッグ及びその防災バッグ付き外出用バッグに関するもので、通勤や通学又は塾通い等の外出時において、地震等の災害や急な暴風雨に遭遇したような場合に頭部や手を守るのに有効であると共に、必要最小限の防災グッズを収納し、通勤や通学用のカバンに邪魔にならずに脱着可能又は固着できるようにしたものである。
【背景技術】
【０００２】
一般に、通勤や通学において地震等の災害が発生したときは、頭部など身を守る必要があるが、通常は頭巾やヘルメットを携行することは難しい。
そこで在来においても、外出時に発生する災害に備えて頭部等の身を守る発明・考案が数多く開示されている。
【先行技術文献】
【特許文献】
【０００３】
【特許文献１】特開２００２−１３６６１４号公報（図３４）
【特許文献２】特開２００７−  ３７６０２号公報（図２）
【特許文献３】実用新案登録第３１３２２５４号公報（図１及び図２）
【発明の概要】
【発明が解決しようとする課題】
【０００４】
特許文献１は、地震や洪水などの災害発生時に有効に利用されて生命を守り得る防護具に関し、その実施形態は、鞄の片面に防護具を面ファスナー等の脱着具で取り外し自在にしたものである。防護具は、表地と裏地間に芯材と緩衝材を介装してなるものを４つ折り状にしたもので、これらを折り畳んで前記脱着具により鞄装着され携行可能になっている。緊急時には、この防護具を取り外して中央の屋根形にし、その両側を開き把持部を両手でもって被るようにする。
しかしながら、手提げの鞄は、防護具として使われていないため、両手で防護具を持つと、手提げの鞄は持てないことになり、不便である。また、防護具を持つ両手は剥き出しなっているから落下物や障害物に接触した場合に怪我するおそれがあり危険である。
【０００５】
次に、特許文献２は、カバン本体に収納した付属のインナー袋を取り出して防災頭巾に変えることができる防災用カバンに関するものである。
また、特許文献３は、脱着できる小物収納バッグ付き手提げ袋兼用の防災頭巾に関するもので、使用時はカバン本体を開いて頭巾を形成して被るものである。
両文献２、３の発明にあっては、頭巾として使用するときは、カバン本体や手提げ袋本体そのものを頭巾として使用するものであるから、書類や品物等の中身を取り出すことが必要であり、取り出した中身を手で持つような場合は、手が塞がって緊急災害には不便である。
【課題を解決するための手段】
【０００６】
本発明は、上記の点に鑑みて提供するものであり、本発明の第１は、防災バッグにおいて、適度の伸縮と弾力性及び防水性のある生地の表蓋体と裏蓋体とから成り、防災用具を入れるポケットを有し、繋ぎ辺となる一辺を残した三辺をスライドファスナーで開閉できるようにした防災バッグであって、その表裏蓋体を開いたときに頭部と肩付近まで覆うことができる適度の角度で開くようにするために、当該表蓋体と裏蓋体の内側の左右両側に覆い片を設けると共に、頭部側に位置する表蓋体内面の左右両側に掴み部を設け、且つ表蓋体の外表面に面ファスナーの一方を設けたものである。
【０００７】
本発明の第２は、防災バッグ付きの外出用バッグにおいて、適度の伸縮と弾力性及び防水性のある生地の表蓋体と裏蓋体とから成り、防災用具を入れるポケットを有し、繋ぎ辺となる一辺を残した三辺をスライドファスナーで開閉できるようにした防災バッグであって、その表裏蓋体を開いたときに頭部と肩付近まで覆うことができる適度の角度で開くようにするために、当該表蓋体と裏蓋体の内側の左右両側に覆い片を設けると共に、頭部側に位置する表蓋体内面の左右両側に掴み部を設け、且つ表蓋体の外表面に面ファスナーの一方を設けたものである。他方、当該防災バッグ体より多少外形が大きいバッグ本体の片面に面ファスナーの一方に対峙する面ファスナーの他方を設け、両面ファスナ同士を脱着可能に結合して防災バッグ体をバッグ本体に一体化したものである。
【０００８】
本発明の第３は、防災バッグ付きの外出用バッグにおいて、適度の伸縮と弾力性及び防水性のある生地の表蓋体と裏蓋体とから成り、防災用具を入れるポケットを有し、繋ぎ辺となる一辺を残した三辺をスライドファスナーで開閉できるようにした防災バッグ体であって、その表裏蓋体を開いたときに頭部と肩付近まで覆うことができる適度の角度で開くようにするために、当該表蓋体と裏蓋体の内側の左右両側に覆い片を設けると共に、頭部側に位置する表蓋体内面の左右両側に掴み部を設け、当該防災バッグの片面を本体バッグの片面に一体化したものである。
【０００９】
本発明の第４は、防災バッグ付きの外出用バッグにおいて、バッグ本体の片面を防災バッグ体の表蓋体として兼用し、裏蓋体の内面に防災用具を入れるポケットを有し、繋ぎ辺となる一辺を残した三辺をスライドファスナーで開閉できるようにした防災バッグ体であって、その表裏蓋体を開いたときに頭部と肩付近まで覆うことができる適度の角度で開くようにするために、当該表蓋体と裏蓋体の内側の左右両側に覆い片を設けると共に、頭部側に位置する表蓋体内面の左右両側に掴み部を設け、当該防災バッグ体を本体バッグの片面に一体化したものである。
【発明の効果】
【００１０】
本発明は、上記の構成であるから、次のような効果がある。第１に、防災バッグ体の内面において防災用具を収納するポケットが設けられ、これに、タオル、マスク、ライターペンライト、小形ハサミ等の防災用具を収納することができ、且つ左右両側に掴み部を設けたことにより、開いた内部の左右掴み部を持って安定して防災バッグ体を頭部に被ることができる。また、その際、防災バッグ体の左右両側に覆い片を設けたことにより、掴み部を持った両手および顔の両頬も防護される。
【００１１】
第２に、防災バッグ体は適度の伸縮と弾力性及び防水性のある生地の表蓋体と裏蓋体とで形成されているから、外部からの多少の衝撃に耐えうるので、頭部や身体への障害を極力減少させることができる。
第３に、防災バッグ体のファスナーを全開して、バッグ本体側の表蓋体を当該バッグ本体と共に頭部に載せることにより、頭部が確実に防護されると共に、後頭部から肩付近が裏蓋体で覆われるから、これらの部位が確実に防護される。
第４に、バッグ本体と共に頭部に載せた裏蓋体内面の左右に細幅ベルト状の掴み部を設けたから、バッグ本体が大きく、且つ多少重たくても両手でバランスを保持して支えることができる。
第５に、表裏蓋体の内側における左右両側に覆い片を設けてあるから、掴み部を持つ両手を覆うことができ、外部の障害物から防護されるから安全である。
第６に、あらかじめ、防災バッグを本体バッグに縫着または強力接着剤等で固着しておくことにより、バッグ本体に防災用具を常備して携行することができる。
第７に、防災バッグ体と共にバッグ本体を頭部に載せるので、従来公知のバッグ兼用の頭巾のようにバッグ内の中身を取り出さなくても使用することができて便利であると共に、バッグの外形面積が比較的大きいので身体を防護する範囲が拡大する。
第８に、防災バッグ体の裏蓋側に防災用具を収納したファスナー付きポケットポケットを設けることによって、当該ポケットに小形のハサミやライター、マッチ等の固形の防災用具を収納しても、頭部側に位置する場合と較べて違和感がない。
第９に、防災バッグ体を、そのファスナーを開いてバッグ本体と共に頭部に載せたときに、バッグ本体の取っ手が顔の前方に位置して視野が遮られて前方が見づらくなる場合がある。そのようなときには、防災バッグがバッグ本体に離脱するものにあっては、図６及び図１０に示す防災バッグ体を
図１１のように開口辺の向きを１８０度変えることによって、視野を遮るものがなくなり見やすくなる。
第１０に、防災バッグ体をバッグ本体と一体式にすると、当該防災バッグ体を開いて頭部に載せたときに、バッグ本体の取っ手が顔の前方に位置して視野が遮られて前方が見づらくなる場合がある。そのようなときには、あらかじめ防災バッグ体を図９の状態を図１０のように繋ぎ辺の向きを１８０度変えておくことによって視野を遮るものがなくなり、前方が見やすくなる。
第１１に、バッグ本体の片面を防災バッグの表裏蓋体の一方を兼用することによって、本体バッグの製造時に防災バッグ体を一体に加工することによって、当該防災バッグ体をバッグ本体と同一の外形にすることにより、外形は通常の通勤用バッグと変わらない体裁を保つことができる。
【図面の簡単な説明】
【００１２】
【図１】防災バッグ体の斜視図である。
【図２】防災用具の収納用ポケットを裏蓋体の内面に設けた防災バッグ体を開いた斜視図である。
【図３】防災用具の収納用ポケットを表蓋体の内面に設けた防災バッグ体を開いた斜視図である。
【図４】防災用具の収納用ポケットを表裏蓋体の両内面に設けた防災バッグ体を開いた斜視図である。
【図５】防災バッグ体を離脱した状態のバッグ本体の斜視図である。
【図６】防災バッグ体をバッグ本体に離脱可能に装着した状態の斜視図である。
【図７】図１の防災バッグ体の使用状態を示す側面図である。
【図８】図６の使用状態を示す正面図である。
【図９】図８の側面図である。
【図１０】図６の防災バッグ体をバッグ本体と一体化した状態の斜面図である。
【図１１】図６の防災バッグ体の開口辺を上下方向に１８０度向きを変えてバッグ本体に一体化した斜視図である。
【図１２】図１１の使用状態を示す正面図である。
【図１３】図１２の側面図である。
【図１４】バッグ本体の製造時に防災バッグ体を一体に製造した状態の斜視図である。
【図１５】図１４の防災バッグ体の開口辺を上下方向に１８０度向きを変え状態の斜視図である。
【図１６】本体バッグの片面が表蓋体兼用になっている防災バッグ体を頭部に載せて使用した状態の側面図である。
【発明を実施するための形態】
【００１３】
本発明に係る防災バッグ及びその防災バッグ付きの防災バッグ体を実施するための形態は次のとおりである。１は取っ手１０の付いた通勤用の外出用バッグであるが、当該外出用バッグの左右両側面部に肩掛けベルト９を設けてショルダーバッグにするものも含まれる。そして、当該バッグ本体の外形は、横幅が４０ｃｍ、高さが３０ｃｍ、厚さが８ｃｍ程度に設定されている。
【００１４】
２は防災用具を収納する比較的扁平な防災バッグ体であり、適度の伸縮と弾力性及び防水性のある生地を用い、例えばネオプレーン生地を使用することを可とする。当該防災バッグ体２は、表蓋体２１と裏蓋体２２とを底辺部となる繋ぎ辺２ｎを残して、これに対向する上向きに位置する開口辺２ｍ及び左右側辺の三辺をスライダーfs付きスライドファスナーｆで開閉する形状になっている。当該防災バッグ体２の外表面は任意の色・硬さとし、これにキャラクタ、デザイン表示４（図６）を施してある。
【００１５】
図６及び図８、図９、図１０、図１４にあっては、当該防災バッグ体２の繋ぎ辺となる一辺２ｎに対向する開口辺２ｍを上向きにしてあるが、図１１及び図１２、図１３、図１５にあっては、繋ぎ辺となる一辺２ｎに対向する開口辺２ｍを下向きにしてある。そして、当該防災バッグ体の外形は、バッグ本体１より少し小さくし、横幅が３０ｃｍ、高さ２５ｃｍ、厚さが２ｃｍ程度に設定してある。また、当該防災バッグ体２をバッグ本体１と横幅および高さを同形にすることもできる。
【００１６】
３はバッグ本体１に防災バッグ体２を装着するための止着具であり、マジックテープ（登録商標）と呼ばれるループ３２とフック３１からなり、且つ裏面に強力な粘着面を有し、例えば幅＝２５ｍｍ、長さ＝１５０ｍｍ程度の細長のテープ体を複数枚用いる。
図１〜図３にあっては、バッグ本体１の片面１１に設けたテープ状の面ファスナー３２と、防災バッグ体２の片面に設けた面ファスナー２１とで離脱できるように構成されている。この場合、バッグ本体１側の面ファスナー３２は、その裏面に粘着剤を設けてあることよって、当該バッグ本体の片面１１に強力に接着するが、不要時において、引き剥がして離脱できるようにしてある。また、防災バッグ体２側の面ファスナー３１は、離脱できるようにするほか、あらかじめ縫着により、離脱しないように一体化しておいてもよい。
【００１７】
４は、防災バッグ体２の表面に表示する色彩、キャラクタ等の意匠デザイン表示部である。
【００１８】
５は防災バッグ体２の内面において、繋ぎ辺となる一辺２ｎを挟んで表蓋体２１と裏蓋体２２の左右両側に縫着した柔らかい布地または柔軟な樹脂シートからなる三角形またはそれに近い形状の覆い片であり、当該表蓋体２１と裏蓋体２２の開き角度θは、頭部と後頭部から肩を覆うことができる適当な角度で開くようにするが、そのために９０〜１４０度の間に設定することを可とする。当該表蓋体２１と裏蓋体２２の内側の左右両側に覆い片５を縫着によって止着する。
【００１９】
６は防災バッグ体２における裏蓋体２２の内面（図４）または表蓋体２１の内面（図５）または表裏蓋体の両内面（図６）に設けたファスナーｆ′付きポケットである。そして、表蓋体２１に当該ポケットを設けた場合は、その中に防災用具７のうち、タオルや軍手、マスクなどある程度クッション性のある小物を収納しておくことが望ましい。また、裏蓋体内２２の内面にポケット６を設ける場合は、ライターや小型ペンライトや小形ハサミのような固い小物を入れておくことができる。
【００２０】
８は防災バッグ体２の頭部側において表蓋体２１内面の左右両側において、前後方向に配置してその両端部を止着した細幅のベルト状を成す掴み部である。当該掴み部は、覆い片５の内側において両手でしっかりと掴める構造になっている。
９はバッグ本体１の幅方向の両側面に結合したショルダーバッグとして使用する肩掛けベルトである。
１０は本体バッグ１の両平面の上部に設けた取っ手である。図１６の本体バッグ１の片面１１を防災バッグ体２の表蓋体２１を兼ねる場合は、当該防災バッグ体２の裏蓋体２２の上部に取っ手の一方を設けてある。この場合、裏蓋体２２の外形は、バッグ本体１の片面１１と同形にしてある。
【００２１】
[具体的な装着及び使用法]
本発明において、防災バッグ体２の装着および使用法は以下の手順による。
（１）  防災バッグ体２の表蓋体２１の片面に細長のフック状面ファスナー３１を強力粘着剤又は縫着によって一体化する。（図１）
（２）  上記面ファスナーに対峙する細長のループ状面ファスナー３２をバッグ本体１の片面に粘着または縫着またはその他の手段によって一体化する。（図６）
（３）  上記の防災バッグ体２をバッグ本体１の片面に面ファスナー３１・３２を介して装着する。（図６）
（４）  この状態でバッグ本体１を取っ手１０を持って手提げ、又は肩掛けベルト９によってショルダーバッグにして通勤ないし通学のために外出する。
（５）  使用時に際しては、防災バッグ体２のスライドファスナーｆを全開し、防災バッグ体２表裏蓋体２１・２２を９０〜１４０度の適当な角度θでスライダーfsを介して開蓋する。（図２〜図４）
（６）  頭部が位置する側の表蓋体２１側の細幅のベルト状の掴み部８・８を両手で掴み、バッグ本体１と一緒に表蓋体２１を頭部に載せて頭頂部に位置させる（図７、図８）。これによって、頭部が外部、すなわち、頭上から落下物や横方向や斜めから飛んでくる障害物から防護される。
（７）  上記のポケット６を裏蓋体内２２の内面に設けた場合（図４）は、バッグ本体１を頭部に載せたときに、当該ポケット６が頭部ではなく、背中側に位置するので、内部にライターや小形ハサミのような固い小物を収納して場合、身体に接触しても違和感がない。
（８）  この状態にあって、防災バッグ体２の左右両側の三角形状の覆い片５・５によって掴み部８・８を持つ両手と、顔の頬部が防護される。（図７〜図９、図１０、図１２）
（９）  他方、表蓋体２１に対し、繋ぎ辺となる一辺によって連結してある裏蓋体２２は、後頭部から肩付近にかけて覆われる状態となり、当該部位が防護される。図７、図８、図１０、図１１）
（１０）  図７及び図８においては、顔の前方にバッグ本体１の取っ手１０が位置するので視野が遮られて見えにくくなる場合がある。その場合は、図８、図９の状態を図１２、図１３にする。すなわち、防災バッグ体２の上下の向きを１８０ど変えることによって、バッグ本体１の取っ手１０を後頭部側に向けることができるから、視野の遮りによる見えにくさは解消される。（図１２及び図１３）
（１１）  表蓋体２１の先端部にはクリップ付きの小型のハンディライト（図示省略）を装着すると夜間の歩行に便利である。
（１２）  防災バッグ体２をバッグ本体１に対して離脱式にした場合は、これを外してバッグ本体１の取っ手１０を持って通常の通勤用バッグとして使い、または必要に応じてベルト９を肩に掛けてショルダーバッグとして使う。
（１３）  バッグ本体１への防災バッグ体２の取付けが不要な場合は、当該バッグ本体に粘着してある細長面ファスナー３１・３２を剥がすことによって、本来の通勤用バッグとして使用することができる。
（１４）  バッグ本体１への防災バッグ体２の取付けが縫着や強力接着剤による一体にした場合は、不要時でも離脱はできないが、防災バッグ体２が比較的扁平な厚さであるから、邪魔にならず、且つその平面部に好みの素材や色彩またはキャラクタやデザイン４を施すことによってファッション効果を高め、常に防災用具７を携行することに抵抗をなくするができることによって、不慮の災害に備えておくことができる。
【産業上の利用可能性】
【００２２】
本発明は、通勤用バッグに限らず通学用バッグや学習塾等の塾通いバッグまたはランドセル等一定の平面スペースがあれば、あらゆる外出用のバッグやカバンその他頭部を覆う平板体にも適用することが可能である
また、防災バッグ体２は、バッグ本体１に装着することができ、その防災機能を発揮するが、当該防災バッグ体単独でも防災頭巾として使用することができる。
【符号の説明】
【００２３】
１…バッグ本体
２…防災用具をいれる防災バッグ体
２１…表蓋体
２２…裏蓋体
２ｍ…開口上辺
２ｍ…開口辺
２ｎ…繋ぎ辺となる一辺
３…ループ状面ファスナーを含む離脱又は固着の止着具
４…防災バッグ体の表面に表示する色彩・キャラクター等の意匠デザイン
５…覆い片
６…ファスナー付きポケット
７…防災用具
８…掴み部
９…ショルダー用ベルト
１０…バッグ本体の取っ手
ｆ……スライドファスナー
fs……スライダー
【図１】
2015223185.tif 000003
【図２】
2015223185.tif 000004
【図３】
2015223185.tif 000005
【図４】
2015223185.tif 000006
【図５】
2015223185.tif 000007
【図６】
2015223185.tif 000008
【図７】
2015223185.tif 000009
【図８】
2015223185.tif 000010
【図９】
2015223185.tif 000011
【図１０】
2015223185.tif 000012
【図１１】
2015223185.tif 000013
【図１２】
2015223185.tif 000014
【図１３】
2015223185.tif 000015
【図１４】
2015223185.tif 000016
【図１５】
2015223185.tif 000017
【図１６】
2015223185.tif 000018